(57)【要約】【課題】  光ピックアップ装置の移動動作をガイドするべく設けられているガイド軸の支持装置を提供する。【解決手段】  光ピックアップ装置を光ディスクの径方向へ移動させるべく設けられているとともに該光ピックアップ装置の位置を規制する主ガイド軸１３の固定位置を規制する支持部材１４をターンテーブル１９を回転駆動するスピンドルモーター３の回転軸２０を回転可能に支持する軸受２４、２５が固定されているとともにスピンドルモーター３を構成するモーター基板２に一体的に形成したことを特徴とする。【選択図】  図１
2010129099.tif 000002
【特許請求の範囲】
【請求項１】
光ピックアップ装置に設けられているガイド孔に挿通されるとともに断面が円形状の主ガイド軸及び光ピックアップ装置に設けられているＵ字溝に挿通される副ガイド軸によってターンテーブル上に載置された光ディスクの径方向へ光ピックアップ装置を移動させるように構成された光ディスク装置であり、前記ターンテーブルを回転駆動するスピンドルモーターの回転軸を回転可能に支持する軸受が固定されているとともにスピンドルモーターを構成するモーター基板に前記主ガイド軸の一端を支持する支持部材を一体的に形成したことを特徴とする光ディスク装置のガイド軸支持装置。
【請求項２】
支持部材に主ガイド軸の側面と当接する側面位置規制部及び下面と当接する下面位置規制部を形成したことを特徴とする請求項１に記載のガイド軸支持装置。
【請求項３】
支持部材に主ガイド軸の両側面と当接する２つの側面位置規制部を形成したことを特徴とする請求項１に記載のガイド軸支持装置。
【請求項４】
支持部材に主ガイド軸の下面と当接する下面位置規制部を形成したことを特徴とする請求項３に記載のガイド軸支持装置。
【請求項５】
支持部材に主ガイド軸が挿入される円形孔を形成したことを特徴とする請求項１に記載のガイド軸支持装置。
【請求項６】
モーター基板をプレス加工することによって支持部材を形成するようにしたことを特徴とする請求項１に記載のガイド軸支持装置。
【発明の詳細な説明】
【技術分野】
【０００１】
本発明は、光ディスクに記録されている信号のレーザー光による読み出し動作や光ディスクに信号の記録動作を行う光ピックアップ装置の移動動作をガイドするガイド軸の支持装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させたＢｌｕ−ｒａｙ規格と呼ばれる光ディスクを使用するものが開発されている。
【０００４】
光ディスク装置に組み込まれる光ピックアップ装置は、光ディスクの径方向へピックアップ送り用モーターの回転駆動力によって移動されるように構成されている。そして、斯かる光ピックアップ装置は、光ディスクに記録されている信号を正確に読み出す必要があるため、光ディスクの径方向への移動動作を精度良く行う必要があり、一般には固定基板に固定されている一対のガイドシャフトによって移動動作がガイドされるように構成されている。（特許文献１参照。）
【特許文献１】特開平１１−６６７６７号公報
【発明の開示】
【発明が解決しようとする課題】
【０００５】
光ピックアップ装置が組み込まれる光ディスク装置は、前述したようにＣＤ規格、ＤＶＤ規格及びＢｌｕ−ｒａｙ規格等の各種の光ディスクを使用するものがある。そして、斯かる光ディスク装置としては据え置き型やコンピュータ装置に組み込まれるもの等種々なタイプがある。
【０００６】
パーソナルコンピュータ特にノート型と呼ばれるコンピュータは、薄型化が行われており、斯かるコンピュータに組み込まれる光ディスク装置も薄型化が行われている。光ディスク装置の薄型化が行われると、その内部に組み込まれる光ピックアップ装置も薄型化が要求されることになる。
【０００７】
そして、最近では高密度記録動作を行うことが出来るＢｌｕ−ｒａｙ規格の光ディスク装置が普及しつつあるが、斯かる光ディスク装置に組み込まれる光ピックアップ装置は、それ自体の精度が要求されるだけでなく径方向への変位動作を行う駆動機構の移動精度が要求されている。
【０００８】
前述した特許文献に記載されている光ピックアップ装置は、メインシャフトとサブシャフトとによって光ディスクの径方向への移動動作をガイドされるように構成されている。しかしながら、斯かる従来技術に記載されているシャフトは、メカシャーシーに固定されているので、即ち光ディスクが載置されるターンテーブルを回転駆動するスピンドルモーターのベースと異なるシャーシーに固定されているので、精度の高い移動動作を行うためにはターンテーブルを回転駆動するスピンドルモーターとシャフトとの位置関係を最良の状態にするための調整が必要となり、組み立て作業の工程が増加するという問題がある。
【０００９】
本発明は、斯かる問題を解決することが出来るガイド軸支持装置を提供しようとするものである。
【課題を解決するための手段】
【００１０】
本発明は、光ピックアップ装置に設けられているガイド孔に挿通されるとともに断面が円形状の主ガイド軸及び光ピックアップ装置に設けられているＵ字溝に挿通される副ガイド軸によってターンテーブル上に載置された光ディスクの径方向へ光ピックアップ装置を移動させるように構成し、前記ターンテーブルを回転駆動するスピンドルモーターの回転軸を回転可能に支持する軸受が固定されているとともにスピンドルモーターを構成するモーター基板に前記主ガイド軸の一端を支持する支持部材を一体的に形成したことを特徴とするものである。
【００１１】
また、本発明は、支持部材に主ガイド軸の側面と当接する側面位置規制部及び下面と当接する下面位置規制部を形成したことを特徴とするものである。
【００１２】
そして、本発明は、支持部材に主ガイド軸の両側面と当接する２つの側面位置規制部を形成したことを特徴とするものである。
【００１３】
更に、本発明は、支持部材に主ガイド軸の両側面と当接する側面位置規制部に加えて下面と当接する下面位置規制部を形成したことを特徴とするものである。
【００１４】
また、本発明は、支持部材に主ガイド軸が挿入される円形孔を形成したことを特徴とするものである。
【００１５】
そして、本発明は、モーター基板をプレス加工することによって支持部材を該モーター基板に一体的に形成するようにしたことを特徴とするものである。
【発明の効果】
【００１６】
本発明のガイド軸支持装置は、光ピックアップ装置に設けられているガイド孔に挿通されるとともに断面が円形状の主ガイド軸及び光ピックアップ装置に設けられているＵ字溝に挿通される副ガイド軸によってターンテーブル上に載置された光ディスクの径方向へ光ピックアップ装置を移動させるように構成し、前記ターンテーブルを回転駆動するスピンドルモーターの回転軸を回転可能に支持する軸受が固定されているとともにスピンドルモーターを構成するモーター基板に前記主ガイド軸の一端を支持する支持部材を一体的に形成したので、即ちターンテーブルの回転軸であるスピンドルモーターの回転軸を支持する軸受が固定されているモーター基板によって光ピックアップ装置の移動動作をガイドするとともに光ピックアップ装置の位置を規制する主ガイド軸の位置を規制するようにしたので、ターンテーブルと光ピックアップ装置との位置関係を正確に設定することが出来る。
【００１７】
本発明のガイド軸支持装置によればモーター基板に主ガイド軸の位置を規制する支持部材を設けるという簡単な構成によってターンテーブルの位置と光ピックアップ装置の位置関係を最良の状態にすることが出来るので、組み立て作業時の調整作業が不要となり、製造コストの低減に本発明は大きな効果を奏するものである。
【００１８】
また、本発明のガイド軸支持装置は、モーター基板をプレス加工することによって支持部材を該モーター基板に形成するようにしたので、プレス加工の精度を高めることによってターンテーブルと主ガイド軸との位置関係を正確に設定することが出来る。
【００１９】
そして、本発明のガイド軸支持装置は、スピンドルモーターを構成するモーター基板に主ガイド軸の一端を支持する支持部材を設けたので、モーター基板が固定される基板等に
該支持部材を形成する場合と比較して薄型化し易いという利点を有している。
【実施例】
【００２０】
図１は本発明のガイド軸支持装置の一実施例を示す要部断面図、図２は本発明のガイド軸支持装置を示す要部の斜視図、図３は本発明のガイド軸支持装置を示す下方から見た要部の斜視図、図４、図５及び図６は異なる実施例を示す要部の正面図である。
【００２１】
図２において、１は光ディスク装置を構成する固定基板、２は後述するスピンドルモーター３を構成するモーター基板であり、螺子４、５、６によって前記固定基板１に固定されるように構成されている。
【００２２】
７はレーザー光を光ディスクの信号面に集光させる対物レンズ８及びレーザーダイオードから放射されるレーザー光を前記対物レンズ８に導く光学部品が組み込まれている光ピックアップ装置であり、円形状のガイド孔９が形成されている主支持アーム１０及びＵ字溝１１が形成されている副支持アーム１２が設けられている。
【００２３】
１３は前記光ピックアップ装置の主支持アーム１０に形成されているガイド孔９に挿通されるとともに断面が円形状の主ガイド軸であり、一端１３Ａは前記モーター基板２に一体的に形成されている支持部材１４によって位置が規制されているとともに他端１３Ｂは前記固定基板１に形成されている固定部材(図示せず)によって固定されている。１５は前記固定基板１に螺子１６によって固定されている主ガイド軸固定部材であり、前記主ガイド軸１３の一端１３Ａを押圧付勢する板バネ１５Ａが形成されている。
【００２４】
１７は前記光ピックアップ装置の副支持アーム１２に形成されているＵ字溝１１に挿通される副ガイド軸であり、一端１７Ａは固定基板１に形成されている副ガイド軸固定部材１８によって固定されているとともに他端１７Ｂは前記固定基板１に形成されている固定部材(図示せず)によって固定されている。
【００２５】
１９は前記スピンドルモーター３を構成する回転軸２０に嵌合されたターンテーブルであり、該回転軸２０とともに回転するとともに光ディスクが載置されるように構成されている。２１は前記回転軸２０の上端に嵌合固定されているセンタリング部材であり、光ディスクの中心部に形成されている中心孔と嵌合し該光ディスクの位置決めを行う作用を成すものである。
【００２６】
前述したように本発明に係る光ディスク装置は構成されており、斯かる構成において、光ピックアップ装置７は前記主ガイド軸１３及び副ガイド軸１７によって前記ターンテーブル１９上に載置される光ディスクの径方向、即ち矢印Ａ及びＢ方向への移動動作を行うように構成されている。また、斯かる光ピックアップ装置７の径方向への移動動作は、前記主支持アーム１０を延長して設けられている駆動アーム部１０Ａを光ピックアップ駆動用モーターの回転駆動動作によって駆動することによって行うように構成されている。
【００２７】
前記駆動アーム部１０Ａの駆動方法としては、該駆動アーム部１０Ａにラック歯車を形成し、該ラック歯車に噛み合う歯車を光ピックアップ駆動用モーターによって回転駆動させる方法や周縁に送り用の溝が形成されている送り用軸を回転駆動するとともに該送り用溝に係合する係合部を前記駆動アーム部１０Ａに形成し、該送り用軸の回転力を該駆動アーム部１０Ａに伝達する方法が周知のように行われているので、その説明は省略する。
【００２８】
以上に説明したように本発明に係るガイド軸支持装置は構成されているが、次に本発明の要旨について図１を参照して説明する。
【００２９】
図１において、２２は前記モーター基板２に形成されている回転支持凹部２Ａに固定されている回転軸支持部材であり、駆動コイル２３が固定されている。２４及び２５は前記回転軸支持部材２２に固着されている軸受であり、前記スピンドルモーター３の回転軸２０を回転可能に支持する作用を有している。
【００３０】
２６は前記回転軸２０と一体的に回転するべく該回転軸２０に嵌合固定されているローターであり、リング状のマグネット２７が内面の側壁に接着固定されている。スピンドルモーター３は、前述したようにモーター基板２、回転軸２０、回転軸支持部材２２、駆動コイル２３、軸受２４、２５、ローター２６及びマグネット２７の各部品にて構成されている。
【００３１】
斯かる構成のスピンドルモーター３において、前記モーター基板２等に組み込まれているモーター駆動回路から前記駆動コイル２３に駆動信号が供給されると、該駆動コイル２３から誘起される磁力とマグネット２７から生成される磁力とによってローター２６に対する回転力が生成されるので、該ローター２６は回転軸２０を中心として回転することになる。
【００３２】
ローター２６に発生する回転駆動力によって回転軸２０が回転すると、該回転軸２０に嵌合固定されているターンテーブル１９が回転せしめられるので、該ターンテーブル１９に載置されている光ディスクを回転させることが出来る。そして、前記駆動コイル２３に供給される駆動信号の大きさや駆動パルスの間隔等を制御することによって光ディスクの回転速度を所望の回転速度になるように制御することが出来る。
【００３３】
斯かる構成によれば、ターンテーブル１９の位置は、モーター基板２に形成されている回転支持凹部２Ａに固定されている回転支持部材２２に固着されている軸受２４、２５によって決定される。一方、光ピックアップ装置７の位置決めを行う主ガイド軸１３は、前述したようにモーター基板２に一体的に形成されている支持部材１４によってその位置を規制するように構成されている。
【００３４】
前記支持部材１４は、図１に示すように主ガイド軸１３の側面と当接する側面位置規制部１４Ａと該主ガイド軸１３の下面と当接する下面位置規制部１４Ｂとより構成されている。斯かる主ガイド軸１３の一端１３Ａは、前述したように主ガイド軸固定部材１５に形成されている板バネ１５Ａによって矢印Ｃ方向へ押圧付勢されている。
【００３５】
従って、前記主ガイド軸１３のスピンドルモーター３の回転軸２０方向の水平位置は前記支持部材１４の側面位置規制部１４Ａによって規制、該回転軸２０の軸方向、即ち上下方向の位置は前記支持部材１４の下面位置規制部１４Ｂによって規制されることになる。このように主ガイド軸１３の水平方向の位置及び上下方向の位置は前記支持部材１４によって決定されることになる。
【００３６】
前記主ガイド軸１３の水平方向及び上下方向の位置を規制する支持部材１４は、スピンドルモーター３を構成するモーター基板２に一体的に形成されているので、スピンドルモーター３の回転軸２０に対する主ガイド軸１３の位置関係を精度良く設定することができる。即ち、前記主ガイド軸１３によって移動位置を規制される光ピックアップ装置７と回転軸２０によって回転駆動されるターンテーブル１９に載置される光ディスクとの関係が最良の状態になるように構成することが出来る。
【００３７】
前述した実施例では、支持部材１４に水平位置を規制する側面位置規制部１４Ａと上下方向の位置を規制する下面位置規制部１４Ｂを設けたが、図４に示すように水平方向である両方向の位置を規制する第１及び第２の側面位置規制部１４Ｃ、１４Ｄ及び下面位置を
規制する下面位置規制部１４Ｅを設けることも出来る。
【００３８】
また、図５に示すように支持部材１４に主ガイド軸１３が挿入される円形孔１４Ｆを形成することによって該主ガイド軸１３の上下左右全ての方向の位置を規制することも出来る。
【００３９】
更に、図６に示すように水平方向の位置を規制する第１支持部材１４１及び第２支持部材１４２、そして上下方向の位置を規制する第３支持部材１４３の３つの支持部材をモーター基板２に形成することも出来る。
【００４０】
また、モーター基板２に設けられている回転支持凹部２Ａは、モーター基板２をプレス加工することによって形成されるが、斯かるプレス加工を行うときに支持部材１４を同時に形成すれば作業工程が簡単になるだけでなく、支持部材１４の位置と回転軸２０との位置関係を正確に設定することが出来る。
【図面の簡単な説明】
【００４１】
【図１】本発明のガイド軸支持装置の一実施例を示す要部断面図である。
【図２】本発明のガイド軸支持装置を示す要部の斜視図である。
【図３】本発明のガイド軸支持装置を示す下方から見た要部の斜視図である。
【図４】本発明のガイド軸支持装置の他の実施例を示す要部の正面図である。
【図５】本発明のガイド軸支持装置の他の実施例を示す要部の正面図である。
【図６】本発明のガイド軸支持装置の他の実施例を示す要部の正面図である。
【符号の説明】
【００４２】
１      固定基板
２      モーター基板
３      スピンドルモーター
７      光ピックアップ装置
９      ガイド孔
１１    Ｕ字溝
１３    主ガイド軸
１４    支持部材
１４Ａ    側面位置規制部
１４Ｂ    下面位置規制部
１５    主ガイド軸固定部材
１５Ａ    板バネ
１７    副ガイド軸
１９    ターンテーブル
２０    回転軸
２２    回転軸支持部材
２３    駆動コイル
２４、２５    軸受
２６    ローター
２７    マグネット
【図１】
2010129099.tif 000003
【図２】
2010129099.tif 000004
【図３】
2010129099.tif 000005
【図４】
2010129099.tif 000006
【図５】
2010129099.tif 000007
【図６】
2010129099.tif 000008